(57)【要約】【課題】本発明においては、流し台本体を起倒可能とするとともに、キッチンユニットの高さ方向を低く抑えかつ奥行き寸法を短く確保することによりキッチンユニットの配置空間を所望に設定して住居空間を広げることができるキッチンユニットを提供することを目的とする。【解決手段】流し台の後端部に配設した回転支軸を垂直方向に昇降自在に構成すると共に流し台を回転支軸を中心に起倒自在に構成し、流し台のシンク底面に形成した排水孔と流し台の下方に配設した排水パイプに連通した伸縮パイプの先端とを回転連結手段を介して回転自在に連通し、しかも回転連結手段は、流し台の下方の流し台支持フレームに前後スライド自在に立設した流し台支持アームの頭部に連結した。【選択図】図１
2010069058.tif 000002
【特許請求の範囲】
【請求項１】
流し台本体の後端部に配設した支軸を垂直方向に昇降自在に構成すると共に流し台本体を起倒自在に構成し、流し台本体のシンク底面に形成した排水孔と流し台の下方に配設した排水パイプに連通した揺動パイプの先端とを回転連結手段を介して流し台本体の仮想回転軸を中心に回転自在に連通し、しかも回転連結手段は流し台の下方の流し台支持フレームに前後スライド自在に立設した流し台支持アームの頭部に連結したことを特徴とするキッチンユニット。
【請求項２】
前記回転連結手段は、エルボ状の排水受けパイプおよび前記排水受けパイプに遊嵌した外筒であることを特徴とする請求項１記載のキッチンユニット。
【請求項３】
流し台支持フレームの左右前端と流し台本体の前部下端との間に伸縮自在の支軸ロッドを備えたことを特徴とする請求項１記載のキッチンユニット。
【請求項４】
流し台支持アームの後端には、断続可能な通電用コネクタを配設したことを特徴とする請求項１記載のキッチンユニット。
【請求項５】
マンションのワンルーム区画において、玄関部から居住空間部に直線状の通路を介設すると共に通路の一側にユニットバス空間、便器空間、洗濯機空間よりなる集合空間を形成し、しかも通路側に面する集合空間の側縁に流し台が通路側に倒伏するように請求項１から請求項４記載のいづれかのキッチンユニットを配設したことを特徴とする集合住宅。
【請求項６】
入口部からオフィスルーム部に直線状の通路を介設すると共に通路の一側に水周り集合空間を形成し、しかも通路側に面する集合空間の側縁に流し台本体が通路側に倒伏するように請求項１から請求項４記載のいづれかのキッチンユニットを配設したことを特徴とするオフィス構造。
【発明の詳細な説明】
【技術分野】
【０００１】
本発明は、ワンルームマンションなどの奥行きが長いフロアを有する住宅や小規模オフィスなどに配置する起倒自在の流し台本体よりなるキッチンユニット、並びにこれを備えた住宅構造に関するものである。
【背景技術】
【０００２】
一般の住居にはユニットバス空間、便器空間、洗濯機空間及びキッチン空間などの水周りの設備が設けられている。このうち特にマンションのような集合住宅などではキッチン空間に配置されているキッチンは、シンクを備えた流し台本体と調理台およびガスコンロや電気コンロなどの加熱装置が一体にユニットされたキッチンユニットとして省スペース化されているものが多い。
【０００３】
特に、一人住まい用のワンルームマンションの住居においては、流し台本体の使用頻度があまり高くないので比較的コンパクトなキッチンユニットを設置することが多く、流し台本体の周りのスペースを小さくしてその分を居住空間に回す設計が施されることが多い。
【０００４】
このようなコンパクトなキッチンユニットにすると、流し台本体のシンクの寸法を小さくすることになり使い勝手が悪かった。そこで、少なくともシンクを水平状態から垂直な起立状態に回動可能として、シンクを使用しないときにはシンクを起立させることにより水平方向への張り出しを解消し、居住空間を広げる有効活用を図った流し台が提案されている（例えば、特許文献1参照）。
【特許文献１】特開平０５−３００８１６号公報
【発明の開示】
【発明が解決しようとする課題】
【０００５】
しかしながら、従来のシンクを備えた流し台本体を水平状態から起立状態へ回動する構成は、起立状態での床からの高さおよび壁からの奥行き寸法を考慮して、シンクの中央付近に設定固定した水平軸の回転軸を中心として回動する構成としている。即ち、奥行き寸法を考慮すると回転軸を奥の壁側に設定するために収納時の高さが高くなり、高さを優先すれば、逆に回転軸をシンク手前側に設定するため回転に伴う回動空間が残る構造となる。そこで、この両者を考慮したような寸法に設定すると、高さ方向の制限や奥行き寸法などの制限により設置する場所が限られ、マンション特に一人住まいのワンルーム型住居などの居住空間の確保にも制限があった。
【０００６】
また、ワンルームマンションのような奥行きが長いフロアを有する住宅において、水周りの設備の排水パイプや給湯、給水パイプを長く配設した住居構造においては、排水パイプの詰まりなどのような水周りトラブルが発生するとこの水周りトラブルの対応が大掛かりになり水周りの設備の近くにキッチンユニトを配置するのが好ましいが、キッチンユニットの設置場所を所望の位置に配置するには従来のようなキッチンユニットにおいては高さ方向および奥行き寸法の構造上の制限から限られる課題を有していた。
【０００７】
図１０は、従来のキッチンユニットの流し台本体の断面構成図である。図１０（ａ）は、流し台本体を収納する回転軸を壁側に設けた図、図１０（ｂ）は流し台本体を収納する回転軸を壁側に設けた図を示している。図１０（ａ）に示すように、流し台本体を収納するときの回転軸を壁側に設定すると高さ方向がΔＨ分高くなる。また図１０（ｂ）に示すように流し台本体を収納するときの回転軸を流し台本体の手前側に設定すると、流し台本体の奥部に回動空間が残ってしまいその回動空間ΔＷがキッチンユニットの奥行き寸法の設置上の制限となってしまう。
【０００８】
そこで本発明においては、流し台本体を起倒可能とするとともに、キッチンユニットの高さ方向を低く抑えかつ奥行き寸法を短く確保することによりキッチンユニットの配置空間を所望に設定して住居空間を広げることができるキッチンユニットを提供することを目的とする。
【課題を解決するための手段】
【０００９】
そこで、かかる課題を解決すべく、請求項１の発明は、流し台本体の後端部に配設した支軸を垂直方向に昇降自在に構成すると共に流し台本体を起倒自在に構成し、流し台本体のシンク底面に形成した排水孔と流し台の下方に配設した排水パイプに連通した揺動パイプの先端とを回転連結手段を介して流し台本体の仮想回転軸を中心に、回転自在に連通し、しかも回転連結手段は、流し台の下方の流し台支持フレームに前後スライド自在に立設した流し台支持アームの頭部に連結したことを特徴とする。
【００１０】
また、請求項２の発明は、請求項１の発明において、回転連結手段は、エルボ状の排水受けパイプおよび前記排水受けパイプに遊嵌した外筒であることを特徴とする。
【００１１】
また、請求項３の発明は、請求項１記載の発明において、流し台支持フレームの左右前端と流し台本体の前部下端との間に伸縮自在の支軸ロッドを備えたことを特徴とする。
【００１２】
また、請求項４の発明は、請求項１記載の発明において、流し台支持アームの後端には、断続可能な通電用コネクタを配設したことを特徴とする。
【００１３】
また、請求項５の発明は、マンションのワンルーム区画において、玄関部から居住空間部に直線状の通路を介設すると共に通路の一側にユニットバス空間、便器空間、洗濯機空間よりなる集合空間を形成し、しかも通路側に面する集合空間の側縁に流し台が通路側に倒伏するように請求項１から請求項４記載のいづれかのキッチンユニットを配設したことを特徴とする。
【００１４】
また、請求項６記載の発明は、入口部からオフィスルーム部に直線状の通路を介設すると共に通路の一側に水周り集合空間を形成し、しかも通路側に面する集合空間の側縁に流し台本体が通路側に倒伏するように請求項１から請求項４記載のいづれかのキッチンユニットを配設したことを特徴とする。
【発明の効果】
【００１５】
請求項１記載の発明は、流し台本体のシンク底面に形成した排水孔と流し台の下方に配設した排水パイプに連通した揺動パイプの先端とを回転連結手段を介して流し台本体の仮想回転軸を中心に回転自在に連通し、しかも回転連結手段は流し台の下方の流し台支持フレームに前後スライド自在に立設した流し台支持アームの頭部に連結したことにより、流し台本体は、後端位置を昇降自在な支軸によって保持されたままで、前後スライド自在とした仮想回転軸を中心に回転するので、流し台本体の収納に伴う高さ方向の寸法の増大を抑えることができる。また、流し台後端部に設けた支軸に沿って回転するので、回動空間をなくすことができるようになる。従って高さ方向も奥行き方向もコンパクトなキッチンユニットを提供できるようになる。
【００１６】
また、このコンパクトなキッチンユニットは従来のキッチンユニットに比べて高さ方向も奥行き寸法も小さくなるので、ワンルーム型のマンションやオフィスなどの所望の場所に設置しやすくなり、コンパクトなキッチンユニットによって省スペース化が可能となり居住空間を最適に確保できるようになる。
【００１７】
また、排水孔と流し台の下方に配設した排水パイプに連通した伸縮パイプの先端とを回転連結手段を介して回転自在に連通し、しかも回転連結手段は、流し台の下方の流し台支持フレームに前後スライド自在に立設した流し台支持アームの頭部に仮想回転軸として連結したので、排水受けが流し台本体の回転によっても接続されたようにすることができるようになり、流し台本体に排水が残っていても、流し台本体の収納中においても排水を排水孔に導くことができる。
【００１８】
また、スライド自在設けた流し台支持アームの流し台支持アーム頭部を流し台本体の排水受けパイプの軸心を軸架していることにより、排水受けパイプの高さ方向は、流し台本体が回転するとき流し台支持アーム頭部の軸心の位置で高さが決まり、流し台本体の回転に伴う上下移動の動作をなくすことができるので、確実に安定した高さ位置で回転動作ができるようになる。
【００１９】
請求項２記載の発明によれば、回転連結手段は、エルボ状の排水受けパイプおよび排水受けパイプに遊嵌した外筒を回転連結手段としたことにより、流し台本体を起立状態や水平状態にするときに回転連結動作が容易で滑らかにできるようになるものである。
【００２０】
請求項３記載の発明によれば、流し台本体を起立させるとき及び倒伏させるときに流し台本体の回転動作が滑らかな移動動作とすることができる。また回転動作が滑らかな移動動作としたことにより、起立状態の位置および倒立状態の位置での流し台本体の停止位置での跳ね返りを防ぐことができるので、耐久性に優れたキッチンユニットとすることができる。
【００２１】
請求項４記載の発明によれば、流し台本体を使用状態にするように水平状態にするときには流し台支持アームが流し台支持フレームの後部に位置するため流し台支持アームに設けた通電用コンセントに通電用コネクタを接続して電源接続を可能とし通電ができるようになり、また流し台本体を使用しないように起立状態にするときには、流し台支持アームが流し台支持フレームの後部から離れるのでコンセントから通電用コネクタを離して電源接続を切断できるようになる。従ってキッチンユニットを使用するときと使用せず収納するときとで電源コネクタを接続、切断する動作が不要になり、電源コンセントをキッチンユニットの後部に配置してもすなわち狭いスペースに設置しても容易に電源の接続が可能となる。しかもキッチンユニットを使用しないときには電源コネクタが切断されるので収納時に誤ってコンロ等が動作することを防止することができるようになるので、安全なキッチンユニットとすることができるようになる。
【００２２】
請求項５記載の発明によれば、所望の場所に設置できるようにしたキッチンユニットにより、縦長のワンルームマンションやオフィスなどで水周り集合空間、例えばユニットバス空間、便器空間、洗濯機空間などと請求項１から請求項４記載のいずれかのキッチンユニットを、直線状通路の一側でかつパイプステーションの近くに配置することで、給湯、給水、排水の配管を短くすることができるようになるので、給湯や給水の温度の環境変化を抑えることができるとともに、排水の詰りの発生を低減することが可能となる。
【００２３】
さらに、この起倒自在としたキッチンユニットを縦長のワンルームマンションなどに設置するとき、通路側に設け、キッチンユニットを使用するときだけ通路側に倒伏するようにし、使用しないときには起立させることにより通路を広くすることができ、居住空間を占有することがなくなり快適な住居とすることができる。
【００２４】
請求項６記載の発明によれば、オフィスに配設する所望の水周り集合空間およびキッチンユニットは、直線状通路の一側でかつパイプステーションの近くに配置することにより、給湯、給水、排水の配管を短くすることができるようになるので、給湯や給水の温度の環境変化を抑えることができるとともに、排水の詰りの発生を低減することが可能となる。また、キッチンユニットは、流し台本体を起倒自在にしたものであるので、キッチンユニットを使用しないときは、使用するときだけ通路側に倒伏するようにし、使用しないときには起立させることにより通路を広くすることができるようにしたものである。
【発明を実施するための最良の形態】
【００２５】
以下に、本発明の実施の形態について図面を参照しながら説明する。
【００２６】
図１は本発明の実施の形態に係わるキッチンユニットの概観図、図２は本発明の実施の形態に関わるキッチンユニットの内部外観図である。
【００２７】
キッチンユニット１００は、流し台本体１が起倒可能としており、図１では使用状態に倒伏した状態を示している。
【００２８】
図１において、キッチンユニット１００は、上面にシンク７とコンロ１０１が設けられた流し台本体１と、流し台本体１を所定の高さに支持する基台１０２を備えている。シンク７はステンレスなどで構成された略四角形の形状をしており、またコンロ１０１は電磁調理器（ＩＨ調理器）などの電熱器としている。
【００２９】
シンク７とコンロ１０１との間には調理台部１０３を設けている。調理台部１０３は別の構成、例えばシンク７の上部にプラスチックの板を橋渡しして調理台としてもよい。これにより調理台の空間を狭くすることができようになるので、コンパクトなキッチンユニット１００とすることができるようになる。
【００３０】
床１０４からシンク７の上面までの高さは人が作業容易となる高さ、例えば７００ｍｍから９００ｍｍとしこれによりシンク７を使用するときや調理を行うときの作業が容易となる。
【００３１】
流し台本体１を使用するときにシンク７内へ給水するには、流し台本体１の下部に設けた給水パイプ１８からの給水を蛇腹管１７、エルボ管１５、給水エルボ管１６を通じて給水ノズル１４からシンク７へ給水する。キッチンユニット１００を配置する場所の流し台本体１の奥の壁１０７に蛇口を設けて、この蛇口から給水や給湯をしてもよいが、本実施の形態では流し台本体１に給水ノズル１４を設け、この給水ノズル１４から給水および給湯ができるようにしている。これによりキッチンユニット１００の配置場所を所望の場所、例えば壁１０７から離れた場所などにも配置ができるようになり、洗濯機やトイレなどの水周り区画の近くに配置できるのでマンションの区画ごとの配置を顧客の要望にあわせて設計の多様化が可能となる。また、住人が任意に配置を変える構成にもできるようになる。
【００３２】
給水ノズル１４には、水栓が備えられており蛇口からでてくる温水の温度調整ができるようにしている。この水栓は２ハンドルのシングルレバー式水栓や、ミキシング水栓方式など所望の水栓を設けることができる。
【００３３】
シンク７内の水を排水するには、シンク７の底面奥に設けた排水孔８から排水することができる。
【００３４】
また、流し台本体１のシンク７の底面奥側には排水孔８を設けている。排水孔８はシンク７内の排水を排水孔８へ導くようにシンク７底面周辺から排水孔８へ向かって膨出した傾斜構造としている。本実施の形態では、排水孔８をシンク７の奥側７ａの略中央部に設けた構成としているが、必ずしも略中央部である必要ではなく、例えば奥側７ａに沿って全体的に設けてもよい。この排水孔８は、シンク７に対してポケット状に窪んだ形状としており、この排水孔８を網カゴ収容部として内部に生ごみを濾別する網カゴを装着可能としている。
【００３５】
排水孔８はシンク７の奥側７ａに斜め下方向に向けて膨出させて形成していることにより、流し台本体１を起立させた状態としてもシンク７内の排水を排水孔８に導くことが可能であるので、流し台本体１を水平状態から起立状態へと回転していくときでもシンク７内部に残存した水滴を排水孔８へ導くことができる。従って、シンク７及び排水孔８に残存した水による雑菌の繁殖を防止しやすくすることができる。
【００３６】
流し台本体１は、キッチンユニット１００を使用しないときには収納することが可能としており、後で詳細に説明するように所望により矢視Ｒの方向へ回転させて流し台本体１を収納する起立状態とすることができる構成としている。これによりキッチンユニット１００を使用しないときに流し台本体１を起立状態として流し台本体１を収納できるようになるのでキッチンユニット１００の張出し部Ｈを解消し、キッチンユニット１００の不使用時の収納スペースを居住空間に当てることができるようになる。
【００３７】
また、流し台本体１の下部には、扉を備えた収納庫１０６を設けており、鍋などの台所用品を収納できるようにしている。
【００３８】
図２に示すように、シンク７の底面には、シンク７の底面に形成した排水孔８と連通して排水孔８に流れ込んだ排水を受けるエルボ状の排水受けパイプ９を設け、このエルボ状の排水受けパイプ９の横管と遊嵌してエルボ状の外筒１０が備えられている。この外筒１０は、排水受けパイプ９の外形よりも径が大きい内径のパイプとし、流し台本体１の回転と連動してこの外筒１０が回転する回転自在に排水受けパイプ９と連通する構成である。排水受けパイプ９の外周面と外筒１０の内周面の連結部にはシール機能を有する部材で連結させて排水の漏れ防止をしている。
【００３９】
流し台本体１の下方には、排水パイプ１３を設け、外筒１０とこの排水パイプ１３とを揺動パイプ１１、連通ケース１２とで連結している。
【００４０】
なお、揺動パイプ１１としては、連通ケース１２を設けた構成としているが、連通ケース１２をなくして外筒１０と排水パイプ１３とを直接、揺動パイプ１１である蛇腹管としてもよい。この構成では簡易な構成となり安価なキッチンシステムとすることができる。
【００４１】
また、流し台本体１の下方の流し台支持フレーム１９の左右にスライドガイド２０を設けており、スライドガイド２０に沿って流し台支持フレーム１９の奥側（後側）と手前側（前側）に前後スライド自在に立設した流し台支持アーム２１を具備している。
流し台支持アーム２１は、流し台支持アーム本体２１ａと、流し台支持アーム本体２１ａの先端に流し台支持アーム先端部２２を備えている。
【００４２】
流し台支持アーム先端部２２は、流し台本体１の左側壁１ａ、右側壁１ｂにそれぞれ固定されており流し台支持アーム先端部２２の軸芯は、左側壁１ａ、右側壁１ｂ、エルボ状の排水受けパイプ９の横管及び外筒１０のそれぞれの中心部とが仮想回転軸αを形成するように枢支されている。
【００４３】
流し台本体１が水平状態から起立状態へと回転移動するとき、及び起立状態から水平状態へと回転移動するときは、この仮想回転軸αを回転中心として回転する。またこの仮想回転軸αは、後に説明するように流し台本体１の流し台支持アーム先端部２２と一致し、流し台本体１の回転と共に流し台支持フレーム１９の奥側（後側）と手前側（前側）に前後に移動する。
【００４４】
図３は本発明の実施の形態に係わる使用状態の縦断面図、図４は本発明の実施の形態に係わる収納途中の縦断面図、図５は本発明の実施の形態に係わる収納状態の縦断面図である。
【００４５】
キッチンユニット１００の使用するときの流し台本体１の状態は、図３に示すように流し台本体１は倒伏した水平状態である。
【００４６】
図３において、キッチンユニット１００は流し台本体１を支持する流し台支持フレーム１９と、流し台本体１の後部でかつ流し台支持フレーム１９の垂直方向に設けたガイドレール２と、ガイドレール２に沿って移動可能とした昇降用ブラケット３を有している。昇降用ブラケット３は、ガイドレール２内を移動する昇降用ブラケット本体３ａと、昇降用ブラケット３に設けたブラケット突出部５とガイドレール２内をスムーズに移動できるように設けたコロ４からなる。
【００４７】
ブラケット突出部５と流し台本体１の後端部に設けた立上げ板６とは支軸１０５で連結し、流し台本体１の回転と共に昇降用ブラケット３とが連動するようにしている。従って、流し台本体１が水平状態から起立状態へ回転移動するときには、仮想回転軸αを中心として回転するようにしたので、仮想回転軸αの手前に位置する流し台本体１の手前側は上昇し、逆に仮想回転軸αに対して反対側にある流し台本体１の奥側は下降する。
【００４８】
従って、流し台本体１の奥側にある流し台本体１の支軸１０５は流し台本体１の奥側の下降と連動して昇降用ブラケット３はガイドレール２に沿って下降移動する。
【００４９】
また、流し台本体１が起立状態から水平状態へと倒伏移動するときは、流し台本体１の支軸１０５の上昇と連動して、昇降用ブラケット３はガイドレール２に沿って上昇移動すると連動して構成としている。これにより流し台本体１の後端部に配設した支軸１０５を流し台支持フレーム１９に垂直方向に設けたガイドレール２に沿って昇降自在にすると共に流し台本体１を起倒自在としている。
【００５０】
流し台支持フレーム１９の左右前面には下部ガイドレール２３が垂設されこの下部ガイドレール２３には保持ブラケット２４及びこの保持ブラケット２４に取り付けたコロ２５が配置されている。これにより流し台本体１を収納するときの起立状態や流し台本体１を使用するときの水平状態に移動動作を行うときにコロ２５によってスムーズに昇降できるようにしている。
【００５１】
また、流し台本体１の前面下部にブラケット２７が設けられており、保持ブラケット２４と流し台本体１の前側下部に設けたブラケット２７との間には保持ロッド２６が架設されている。流し台本体１が倒伏し平行状態のときには、保持ブラケット２４が流し台支持フレーム１９の下方に位置して流し台本体１を保持する。この保持ロッド２６により流し台本体１を使用するときに、流し台本体１に荷重がかかっても流し台本体１の変形及び流し台本体１の支軸１０５の変形や破損を防止することができる。
【００５２】
また、流し台支持フレーム１９の左右前端と流し台本体１の前部下端との間には伸縮自在のエアロッド２８を備えている。これにより流し台本体１を起立状態に移動させるとき及び水平状態に倒伏動作をさせるときに、エアークッション効果により滑らかに移動動作を行うことができる。また急激な移動動作をすることを防止できるので急激な移動に伴う起立状態の位置および倒立状態の位置での跳ね返りを防ぐことができるため耐久性に優れたキッチンユニット１００とすることができる。なお、エアロッド２８は左右両側に備えた構成を例として説明したが、キッチンユニット１００の幅の寸法や販売コストなどを考慮して左右のどちらか一方だけに備えてもよい。
【００５３】
このような構成のキッチンユニット１００において、使用状態から起立状態への移動動作を説明する。
【００５４】
図４に示すように、流し台本体１が使用するときの水平状態から収納する起立状態へと回転移動を開始すると、流し台本体１は仮想回転軸αを中心に回転を開始し、その結果流し台本体１の奥部は下方向へ下降動作を行い、流し台本体１の前部は上方向へと上昇動作を行う。
【００５５】
流し台本体１の後端部は、昇降用ブラケット３に連結された支軸１０５を備えており、流し台本体１が水平状態から起立状態へ回転動作を行うときには、仮想回転軸αを中心として回転し、流し台本体１の回転移動に伴って後端部の支軸１０５はガイドレール２に沿って上端部側から下端部側へと移動動作を行う。このようにしたことにより、流し台本体１は支軸１０５が下方へ降りながら回転するので収納に伴う高さ方向の寸法の増大を抑えることができる。また、後端部の支軸１０５がガイドレール２に沿った位置で維持されたまま回転移動を行うので、回動空間をなくすことができるようになる。従って高さ方向も奥行き方向もコンパクトなキッチンユニットを提供できるようになる。
【００５６】
また、流し台本体１の前部に備えた保持ロッド２６は、流し台本体１の回転動作に伴い上方向へ持ち上げられ、保持ロッド２６の下端部と連結された保持ブラケット２４は、下部ガイドレール２３に沿って下端側から上端側へと移動動作を行う。
【００５７】
また、流し台支持フレーム１９の左右前端と流し台本体１の前部下端との間に架設したエアロッド２８は、流し台本体１の回転動作により流し台本体１の前部が上方へ移動するので伸張される。従って流し台本体１はエアロッド２８によって回転動作が緩和され、急激に回転せず滑らかに回転させることができるので、耐久性に優れたキッチンユニット１００とすることができるようになる。
【００５８】
流し台本体１の左側壁１ａ、右側壁１ｂにそれぞれ固定された流し台支持アーム先端部２２、流し台本体１のエルボ状の排水受けパイプ９の横管および排水受けパイプ９に遊嵌した外筒１０の中心部とは仮想回転軸αを形成するように枢支されており、流し台支持アーム２１の流し台支持アーム先端部２２は、流し台本体１の左側壁１ａ、右側壁１ｂに固定されているので、流し台支持アーム先端部２２と、流し台本体１の後部の支軸１０５との距離Ｘは一定となり、流し台本体１の回転によって流し台本体１の後端部の支軸１０５が下方向へ下降すると、流し台支持アーム２１は、流し台支持フレーム１９の奥側から次第に遠ざかるように移動する。
【００５９】
流し台本体１が水平状態のとき流し台支持アーム２１は流し台支持フレーム１９の後端部に配置するようにし、従って図３に示すように流し台支持アーム先端部２２は、流し台支持フレーム１９の奥側からの距離はＰ１である。この水平状態から流し台本体１を収納する起立状態へと回転させていくと、支軸１０５と流し台支持アーム先端部２２との距離Ｘが一定であるので、流し台支持アーム２１は流し台支持フレーム１９から遠ざかっていき、支軸１０５と流し台支持アーム先端部２２とが水平となる位置まで回転移動すると、図４に示すように流し台支持フレーム１９の奥側からの距離は最も長くなりＰ２の位置まで移動する。流し台支持アーム先端部２２とが水平となる角度Ｄ２は、５０度から５５度の角度としている。支軸１０５と流し台支持アーム先端部２２とが水平となる位置が、流し台支持アーム２１が最も手前側に位置する状態であるので、このＰ２の位置が流し台支持フレームの最前位置となるようにスライドガイド２０を設定することで、キッチンユニット１００の奥行きの寸法を最適にすることができる。
【００６０】
そして、さらに流し台本体１を回転することにより流し台本体１の後端部の支軸１０５は下方向へ下降し、流し台本体１の支軸１０５と流し台支持アーム先端部２２の距離Ｘを一定として回転していくので、流し台支持フレーム１９の奥側からの水平距離は短くなっていき、起立状態が完了すると図５に示すように、流し台支持アーム先端部２２は、Ｐ３の位置まで戻る。起立動作が完了したときの流し台本体１の回転角度Ｄ１は、８０度から９０度の範囲としている。
【００６１】
このように流し台支持アーム２１は、流し台本体１が水平状態のときに流し台支持アーム２１の後端部２１ｄが流し台支持フレーム１９の後端部とし、回転動作とともに流し台支持アームが流し台支持フレーム１９の前方へ移動していき、支軸１０５と流し台支持アーム先端部２２とが水平となる位置まで回転移動したとき、流し台支持アーム２１の前端部２１ｅが流し台支持フレーム１９の前端部とし、起立状態が完了すると流し台支持アーム２１は、スライドガイド２０の中央部まで戻る構成としている。
【００６２】
仮想回転軸αは、流し台本体１の流し台支持アーム先端部２２と一致させているので、流し台本体１の回転移動動作と共に流し台支持フレーム１９の前後に移動する。
【００６３】
排水孔８と流し台本体１の下方に配設した排水受けパイプ９に連通した伸縮パイプの先端とを回転連結手段を介して回転自在に連通し、しかも回転連結手段は、流し台の下方の流し台支持フレームに前後スライド自在に立設した流し台支持アーム先端部２２に連結したので、排水受けパイプ９が流し台本体１の回転によっても接続されたようにすることができるようになり、流し台本体１に排水が残っていても、流し台本体１の収納中においても排水を排水孔８に導くことができる。従って流し台本体１の状態が水平状態であろうと、水平状態から起立状態に移動動作中であろうと、また起立状態であろうとシンク７内の排水を排水孔８から導き出すことができるようになるので、排水が残存することがなくなり腐敗や腐敗による悪臭の発生を防止できる。
【００６４】
図６は本発明の実施の形態に係わるコンセント部の概略図である。
【００６５】
図６（ａ）は、流し台本体１を倒伏させて使用状態にしたときの流し台支持アーム２１の位置を、図６（ｂ）は流し台本体１を起立させて収納状態にしたときの流し台支持アーム２１の位置を示している。
【００６６】
図６（ａ）、図６（ｂ）に示すように、流し台支持アーム２１の後端には、断続可能な通電用プラグ３０を、流し台支持フレーム１９には通電用コンセント２９配設している。
【００６７】
流し台本体１が水平状態のときは流し台支持アーム２１が流し台支持フレーム１９の後部に位置し、起立状態のときは、流し台支持アーム２１は後端部より前方へ離れるので、これにより流し台本体１を使用状態にするように水平状態にすると流し台支持アーム２１が流し台支持フレーム１９の後部に位置するため、通電用プラグ３０が流し台支持フレーム１９に備えた通電用コンセント２９へ挿入されるようにして通電可能としたので、流し台本体１に備えた電気器具例えば、コンロ１０１に通電ができるようになる。
【００６８】
また、流し台本体１を使用しないように起立状態にするときには、流し台支持アーム２１が流し台支持フレーム１９の後部から離れるので通電用コンセント２９から通電用プラグ３０を離して電源接続を切断できるようになる。従ってキッチンユニット１００を使用するときには自動的に電源接続を行い使用せず収納するときには自動的に通電用プラグ３０と通電用コンセント２９とを切断するので、電源接続動作や電源切断動作が不要になり、通電用コンセント２９をキッチンユニット１００の後部に配置することで、狭いスペースに設置しても容易に電源の接続、切断が可能となる。しかもキッチンユニット１００を使用しないときには通電用コンセント２９が切断されることにより収納時に誤ってコンロ１０１等が動作することを防止することができるようになるので、安全なキッチンユニット１００とすることができるようになる。
【００６９】
なお、本発明の実施の形態では、通電用プラグ３０と通電用コンセント２９との通電および切断に関して通電用プラグ３０を通電用コンセント２９に挿入する構成にて図示説明したが、別の形態、例えば電源コンセント部にマグネットを設け、電源コネクタに磁性体の板を設けて磁力によって接続する構成としてもよい。
【００７０】
次に本発明のキッチンユニットをマンションなどのワンルーム区画に配置した例を説明する。
図７、図８、図９は本発明の実施の形態に係わるマンションのレイアウトの一例を示した図である。
【００７１】
図７のマンション区画にキッチンユニット１００を配置した一例を示す。
【００７２】
パイプステーション（ＰＳとも呼ぶ）２０１はマンション区画の玄関２０５から入った入口の左手方向の端に設置されている。このパイプステーション２０１には給湯管２０１ａ、給水管２０１ｂ、排水管２０１ｃが設置されており、マンションの給水、給湯、排水はこのパイプステーション２０１を介して処理される。
【００７３】
玄関２０５から入ると、玄関より入ったところに土間３１２、右手に客間空間３１３、収納庫３１４、冷蔵庫２０８、クロゼット２０９の順に水周りを必要としない設備が備えてある。
【００７４】
一方、玄関２０５から入った左手には、廊下２０６に掛かるようにキッチンユニット１００が備えてあり、このキッチンユニット１００は流し台本体１を使用しないときは起立させて収納できるようにしている。従って図７のキッチンユニット１００の外形の破線で示した領域は収納させることにより、廊下２０６を広く利用できるようになる。そしてキッチンユニット１００の左手側は洗濯機空間２０３、その奥には便器空間２０２が配置されている。また、ユニットバス空間２０４も玄関２０５より入った入り口の左手奥に配置し、このようにユニットバス空間２０４、便器空間２０２、洗濯機空間２０３を玄関２０５より入った玄関２０５から居住空間部２１１に至る玄関２０５、廊下２０６を直線状とし、直線状通路２１２を介設した左側に水周りの空間を集約し、パイプステーション２０１がある側に集合空間として配置している。
【００７５】
このようにすることで、これらの集合空間およびキッチンユニット１００はパイプステーション２０１の近くに配置することで、給湯、給水、排水の配管を短くすることができるようになるので、給湯や給水の温度の環境変化を抑えることができるとともに、排水の詰りの発生を低減することが可能となる。また、キッチンユニット１００は、前述のように流し台本体１を起倒自在にしたものであるので、キッチンユニット１００を、使用するときには廊下２０６に倒伏するようにし、使用しないときには起立させることにより通路を広くすることができるようにしたものである。
【００７６】
ユニットバス空間２０４の仕切り壁或いはユニットバスの外壁などは、例えば透明ガラスや透明アクリル板などで構成することにより、ユニットバス空間２０４をユニットバス空間２０４の外から見ることができ、その結果、マンションなどのワンルーム区画の室内空間を広く演出することができる。
【００７７】
また、図８のマンションのレイアウトの一例を説明する。
【００７８】
パイプステーション（ＰＳとも呼ぶ）２０１はマンション区画の玄関２０５から入った入口の左手方向の端に設置されている。
【００７９】
玄関２０５から入ったところには、土間３１２があり、土間３１２に続いて廊下２０６があり、土間３１２と廊下２０６を含めて直線状通路２１２としており、直線状通路２１２の奥には居住空間部２１１設けている。
【００８０】
この直線状通路２１２の右手には、ベンチ３１１、冷蔵庫２０８、クロゼット２０９と水周りを必要としない設備が配置されている。
【００８１】
一方、直線状通路２１２の左側には便器空間２０２、洗濯機空間２０３、ユニットバス空間２０４及びキッチンユニット１００の水周り設備が配置されている。
【００８２】
キッチンユニット１００は、直線状通路２１２に配置され、流し台本体１を使用するときには、図の破線の位置になるように流し台本体１を倒伏する。使用しないときには、起立させて収納できるので、直線状通路２１２を広くすることができ、快適な通路とすることができる。
【００８３】
従来、人が通るのみの空間であった廊下２０６や土間３１２を含めて直線状通路２１２としたことにより、一定の空間が確保されることとなり、直線状通路２１２を住居の一部として利用することができる。
【００８４】
図７のマンションのレイアウトにおける一例と同様に、図８のマンションのレイアウトにおける一例についても、ユニットバス空間２０４の仕切り壁或いはユニットバスの外壁などは、例えば透明ガラスや透明アクリル板などで構成することにより、ユニットバス空間２０４をユニットバス空間２０４の外から見ることができ、その結果、マンションなどのワンルーム区画の室内空間を広く演出することができる。
【００８５】
また、図９のマンションのレイアウトの一例を説明する。
【００８６】
パイプステーション（ＰＳとも呼ぶ）２０１はマンション区画の玄関２０５から入った入口の左手方向の端に設置されている。
【００８７】
玄関から入ったところには、土間３１２があり、この土間３１２の左側にキッチンユニット１００が配置されている。土間３１２から居住空間部２１１に至るまで土間３１２を含めて直線状通路２１２を設けている。
【００８８】
この直線状通路２１２の右手には、下足箱２０７、冷蔵庫２０８、クロゼット２０９、と水周りを必要としない設備が配置されている。
【００８９】
一方、直線状通路２１２の左側には、洗濯機空間２０３、便器空間２０２、ユニットバス空間２０４の水周り設備が配置されている。
【００９０】
キッチンユニット１００は、直線状通路２１２に配置され、流し台本体１を使用するときには、図の破線の位置になるように流し台本体１を倒伏する。使用しないときには、起立させて収納できるので、直線状通路２１２を広くすることができ、快適な通路とすることができる。このように本発明の実施の形態に係わるマンションのワンルーム区画に於いては、玄関２０５から居住空間部２１１にいたる直線状通路２１２を介設すると共に、この直線状通路２１２の一側、すなわちパイプステーション２０１が配置された側にユニットバス空間２０４、便器空間２０２、洗濯機空間２０３なる集合空間を形成し、しかも通路側に面する集合空間の側縁に流し台が通路側に倒伏するように本発明のキッチンユニット１００を配設している。
【００９１】
このようにすることで、これらの集合空間およびキッチンユニット１００はパイプステーション２０１の近くに配置することで、給湯、給水、排水の配管を短くすることができるようになるので、給湯や給水の温度の環境変化を抑えることができるとともに、排水の詰りの発生を低減することが可能となる。また、キッチンユニット１００は、前述のように流し台本体１を起倒自在にしたものであるので、キッチンユニット１００を使用しないときは、使用するときだけ通路側に倒伏するようにし、使用しないときには起立させることにより通路を広くすることができるようにしたものである。
【００９２】
図７のマンションのレイアウトにおける一例と同様に、図９のマンションのレイアウトにおける一例についても、ユニットバス空間２０４の仕切り壁或いはユニットバスの外壁などは、例えば透明ガラスや透明アクリル板などで構成することにより、ユニットバス空間２０４をユニットバス空間２０４の外から見ることができ、その結果、マンションなどのワンルーム区画の室内空間を広く演出することができる。
【００９３】
図７〜図９のマンションのレイアウトの一例について、キッチンユニット１００がマンションなどのワンルーム区画に配置され、前述のように、使用するときには廊下２０６に倒伏するようにし、使用しないときには起立させることにより、キッチンユニット１００を見えなくすることできる。その結果、生活感を低下させ、おしゃれ感を向上させることができ、マンションなどのワンルーム区画を住居としてだけでなく、事務所などとして利用することもできる。
【００９４】
また、図７〜図９のマンションのレイアウトの一例について、新築のマンションなどを施工する際だけではなく、中古のマンションなどをリフォームする際には、キッチンユニット１００や便器空間２０２やユニットバス空間２０４などの各構成を一体的に入れ替えることでリフォームを行い、中古の建物の価値や利便性を向上させることができる。
【００９５】
なお、本発明のマンション区画の構成は本実施の形態に限るものではなく、パイプステーション２０１の近くに玄関２０５から居住空間部２１１にいたる直線状通路２１２を介設すると共に、この直線状通路２１２の一側にユニットバス空間２０４、便器空間２０２、洗濯機空間２０３なる集合空間を形成し、しかもしかも通路側に面する集合空間の側縁に流し台が通路側に倒伏するようにするレイアウトであれば、どのような配置構成でもよい。
【００９６】
また、本発明の実施の形態においては、ユニットバス空間２０４、便器空間２０２、洗濯機空間２０３なる集合空間全てを形成する例で説明したが、本実施の形態に限るものではなく、ワンルーム型のオフィスなどでは、洗濯機空間２０３を配置せず、ユニットバス空間２０４、便器空間２０２を集合空間とした構成としてもよい。また、ユニットバス空間２０４は、シャワーだけを設けたシャワールームとしてもよい。このようにすることで、例えば仮眠室などの宿泊区画を有する小規模のオフィスなどの最小限の水周り空間を配置したオフィスを提供できるようになる。
【産業上の利用可能性】
【００９７】
本発明は、高さ及び奥行きのスペースを短くした起倒自在なキッチンユニットとして省スペース化ができるので、居住空間を広く確保した一人住まいの人などが利用するマンションのワンルーム区画のキッチンユニットとして及びこれを収納したワンルームの住居構造や小規模のオフィス構造として利用できる。
【図面の簡単な説明】
【００９８】
【図１】本発明の実施の形態に係わるキッチンユニットの概観図
【図２】本発明の実施の形態に関わるキッチンユニットの内部外観図
【図３】本発明の実施の形態に係わる使用状態の縦断面図
【図４】本発明の実施の形態に係わる収納途中の縦断面図
【図５】本発明の実施の形態に係わる収納状態の縦断面図
【図６】本発明の実施の形態に関わるコンセント部の概略図
【図７】本発明の実施の形態に係わるマンションのレイアウトの一例
【図８】本発明の実施の形態に係わるマンションのレイアウトの一例
【図９】本発明の実施の形態に係わるマンションのレイアウトの一例
【図１０】従来のキッチンユニットの断面構成図
【符号の説明】
【００９９】
１    流し台本体
１ａ    左側壁
１ｂ    右側壁
２    ガイドレール
３    昇降用ブラケット
４    コロ
５    ブラケット突出部
６    立上げ板
７    シンク
７ａ    シンク７の奥側
８    排水孔
９    排水受パイプ
１０    外筒
１１    揺動パイプ（伸縮パイプ）
１２    連通ケース
１３    排水パイプ
１４    給水ノズル
１６    給水エルボ管
１５    エルボ管
１７    蛇腹管
１８    給水パイプ
１９    流し台支持フレーム
２０    スライドガイド
２１    流し台支持アーム
２２    流し台支持アーム先端部
２３    下部ガイドレール
２４    保持ブラケット
２５    コロ
２６    保持ロッド
２７    ブラケット
２８    エアロッド
２９    通電用コンセント
３０    通電用コネクタ
１００    キッチンユニット
１０１    コンロ
１０２    基台
１０３    調理台
１０４    床
１０５    支軸
１０６    収納庫
１０７    壁
２０１    パイプステーション
２０２    便器空間
２０３    洗濯機空間
２０４    ユニットバス空間
２０５    玄関
２１２    直線状通路
【図１】
2010069058.tif 000003
【図２】
2010069058.tif 000004
【図３】
2010069058.tif 000005
【図４】
2010069058.tif 000006
【図５】
2010069058.tif 000007
【図６】
2010069058.tif 000008
【図７】
2010069058.tif 000009
【図８】
2010069058.tif 000010
【図９】
2010069058.tif 000011
【図１０】
2010069058.tif 000012